【手続補正書】
【提出日】平成16年4月9日(2004.4.9)
【手続補正１】
【補正対象書類名】明細書
【補正対象項目名】特許請求の範囲
【補正方法】変更
【補正の内容】
【特許請求の範囲】
【請求項１】
使用者の身元を確認した後、暗号化されたデジタルデータファイルを供給するデジタルデータサーバと、
該デジタルデータサーバから供給されたデジタルデータファイルを、解読して再生出力するとともに、データ格納媒体の識別番号により生成された暗号化キーで再び暗号化処理してダウンロードする個人用コンピュータと、
該個人用コンピュータから伝送される暗号化されたデジタルデータファイルを、前記データ格納媒体に格納し、該データ格納媒体の識別番号により生成された暗号化キーで解読処理して再生出力するデジタルデータプレーヤと、を備えて構成されることを特徴とするデジタルデータファイルの暗号化装置。
【請求項２】
前記データ格納媒体の識別番号は、製造会社の名称、シリアル番号及びシステムで定められた任意の値を包含することを特徴とする請求項１記載のデジタルデータファイルの暗号化装置。
【請求項３】
デジタルデータプレーヤ又は該プレーヤに使用されるデータ格納媒体の識別番号を受けて、それら情報に予め定められた第１内部キーを付加して、キーを変換する第１段階と、
前記第１段階で変換されたキーに対し、第２内部キーで暗号化アルゴリズムを適用して暗号化された暗号キーを生成する第２段階と、
前記第２段階で生成された暗号化された暗号キーを利用して、ファイルを暗号化する第３段階と、を順次行うことを特徴とするデジタルデータファイルの暗号化方法。
【請求項４】
前記識別番号に付加される第１内部キーは、複数個付加することが可能であることを特徴とする請求項３記載のデジタルデータファイルの暗号化方法。
【請求項５】
前記データ格納媒体の識別番号は、製造会社の名称、シリアル番号及びシステムで定められた任意の値を包含することを特徴とする請求項３又は請求項４記載のデジタルデータファイルの暗号化方法。
【請求項６】
前記キーは、ファイルの暗号化時に使用されるものと同一の暗号アルゴリズムにより生成されることを特徴とする請求項３記載のデジタルデータファイルの暗号化方法。
【請求項７】
ファイルを暗号化して伝送する側と、暗号化されたファイルを受けて解読するデジタルデータプレーヤ側とは、暗号化キーを別途に伝送せず、デジタルデータプレーヤ側の固有情報に基づいて、それぞれ独立的に暗号キーを生成するための第１内部キー及び第２内部キーを共有することを特徴とする請求項３記載のデジタルデータファイルの暗号化方法。
【請求項８】
デジタルデータプレーヤ又は該プレーヤに使用されるデータ格納媒体の識別番号を受けて、予め定められた第１内部キーを付加してキーを変換し、該変換されたキーに対し、第２内部キーで暗号化アルゴリズムを適用して暗号化された暗号キーを生成し、前記生成された暗号化された暗号キーを利用して、ファイルを暗号化することを特徴とするデジタルデータファイルの暗号化プログラムを記録した記録媒体。
【請求項９】
固有識別番号を有する記録媒体から前記固有識別番号を受信する段階と、
前記固有識別番号に基づいて第１暗号化キーを生成する段階と、
前記生成された暗号化キーに基づいてデジタルデータを暗号化する段階と、を行うことを特徴とするデジタルデータの暗号化方法。
【請求項１０】
前記生成された暗号化キーに基づいて第２暗号化キーを生成する段階と、
前記第２暗号化キーに基づいてデジタルデータを暗号化する段階と、を更に行うことを特徴とする請求項９記載のデジタルデータの暗号化方法。
【請求項１１】
固有識別番号を有する記録媒体から前記固有識別番号を受信する段階と、
前記固有識別番号に基づいて解読キーを生成する段階と、
前記生成された解読キーに基づいてデジタルデータを解読する段階と、を行うことを特徴とする固有識別番号の解読方法。
【手続補正２】
【補正対象書類名】明細書
【補正対象項目名】００１２
【補正方法】変更
【補正の内容】
【００１２】
そして、前記データ格納媒体の識別番号は、製造会社の名称、シリアル番号及びシステムで定められた任意の値を包含することを特徴とする。且つ、本発明に係るデジタルデータプレーヤの暗号化方法においては、デジタルデータプレーヤ又は該プレーヤに使用されるデータ格納媒体の識別番号を受けて、それら情報に予め定められた第1内部キーを付加して、キーを変換する第1段階と、前記第1段階で変換されたキーに対し、第2内部キーで暗号化アルゴリズムを適用して暗号化された暗号キーを生成する第2段階と、前記第2段階で生成された暗号化された暗号キーを利用して、ファイルを暗号化する第3段階と、を順次行うことを特徴とする。


【手続補正３】
【補正対象書類名】明細書
【補正対象項目名】００１３
【補正方法】変更
【補正の内容】
【００１３】
そして、前記識別番号に付加される第1内部キーは、複数個付加することが可能であることを特徴とする。且つ、前記データ格納媒体の識別番号は、製造会社の名称、シリアル番号及びシステムで定められた任意の値を包含することを特徴とする。又、前記キーは、ファイルの暗号化時に使用されるものと同一の暗号アルゴリズムにより生成され得ることを特徴とする。


【手続補正４】
【補正対象書類名】明細書
【補正対象項目名】００１４
【補正方法】変更
【補正の内容】
【００１４】
更に、ファイルを暗号化して伝送する側と、暗号化されたファイルを受けて解読するデジタルデータプレーヤ側とは、暗号化キーを別途に伝送せず、デジタルデータプレーヤ側の固有情報に基づいて、それぞれ独立的に暗号キーを生成するための第1内部キー及び第2内部キーを共有することを特徴とする。且つ、本発明に係るデジタルデータファイルの暗号化プログラムを記録した記録媒体においては、デジタルデータプレーヤ又は該プレーヤに使用されるデータ格納媒体の識別番号を受けて、予め定められた第1内部キーを付加してキーを変換し、該変換されたキーに対し、第2内部キーで暗号化アルゴリズムを適用して暗号化された暗号キーを生成し、前記生成された暗号化された暗号キーを利用して、ファイルを暗号化するプログラムが記録されていることを特徴とする。


【手続補正５】
【補正対象書類名】明細書
【補正対象項目名】００２３
【補正方法】変更
【補正の内容】
【００２３】
図2は、本発明に係るデジタルデータプレーヤにおけるファイルの暗号化及び復号化方法の他の実施形態を示した図面で、図示されたように、個人用コンピュータ1側からファイルのダウンロードされる携帯用MP3プレーヤ2が、インタフェース部（図示されず）を介して接続されると、二つの装置間に予め定められた制御命令に従い、前記個人用コンピュータ1では、前記MP3プレーヤ2又は該MP3プレーヤのメモリ（図示されず）の固有番号（シリアル番号など）に関する情報を要求して、それを入力する。


【手続補正６】
【補正対象書類名】明細書
【補正対象項目名】００２４
【補正方法】変更
【補正の内容】
【００２４】
このように、ダウンロードされる装置の固有番号情報を受けて使用者認証番号として使用するため、別途に使用者認証過程を行う必要がない。次いで、ハッキング（hacking）を防止するために、前記入力された固有番号に二つの装置（個人用コンピュータ1側とMP3プレーヤ2）間に予め定められた第1内部キーを付加して、固有番号を暗号キーとして使用するための変換を行うが、このとき、前記第1内部キーは、二つの装置間の規約に従い一つを付加するか、又は、解読を難しくするため、それ以上の内部キーを付加することもできる。


【手続補正７】
【補正対象書類名】明細書
【補正対象項目名】００２５
【補正方法】変更
【補正の内容】
【００２５】
このように、装置の固有番号に新しい内部キーを付加して、暗号キーに変換した後、従来技術では、該変換された暗号キーを利用してファイルを暗号化していたが、本発明では、前記変換された暗号キーを、二つの装置間の規約に従い第2内部キーで暗号キー自体を暗号化する過程を行う。このとき、暗号化キーを暗号化するために使用される暗号化アルゴリズムは、ファイルを暗号化するアルゴリズムの以外に、キーを暗号化するアルゴリズムを適用することができるが、携帯用MP3プレーヤ2 で使用される実行能力の低いマイクロプロセッサ（図示されず）を考慮して、ファイルの暗号化アルゴリズムを同様に適用して、アルゴリズムを保管するためのプログラムメモリの容積を減らし、処理効率性を向上することができる。